(57)【特許請求の範囲】
【請求項１】
本体前面に開口して温風を放出する吹出口に上下方向に複数のルーバを配置し、吹出口の下部に配置された下側ルーバは温風の放出方向における上流側を下に凸である湾曲部とするとともに下流側を略水平方向の平面部とし、吹出口の上部に配置された上側ルーバは温風の放出方向における上流側の湾曲部及び下流側の平板部を含むとともに下に凸である湾曲部を前記下側ルーバの湾曲部よりも曲率を大きくし平板部を温風の放出方向の下流側を上にして傾斜させることにより、前記上側ルーバと前記下側ルーバとを互いに異なる断面形状に形成したことを特徴とする暖房装置。
【請求項２】
前記上側ルーバと下側ルーバとの間の空間は、温風の放出方向について下流側の上下方向の幅を上流側の上下方向の幅よりも狭くしたことを特徴とする請求項１に記載の暖房装置。
【請求項３】
前記上側ルーバの前端は、下側ルーバの前端よりも本体の前方に位置することを特徴とする請求項１又は２に記載の暖房装置。
【請求項４】
本体前面に開口して温風を放出する吹出口に上下方向に複数のルーバからなる上側ルーバ、及び、複数のルーバからなる下側ルーバを配置し、吹出口の下部に配置された下側ルーバは温風の放出方向における上流側を下に凸である湾曲部とするとともに下流側を略水平方向の平面部とし、吹出口の上部に配置された上側ルーバは温風の放出方向における上流側の湾曲部及び下流側の平板部を含むとともに下に凸である湾曲部を前記下側ルーバの湾曲部よりも曲率を大きくし平板部を温風の放出方向の下流側を上にして傾斜させることにより、前記上側ルーバと前記下側ルーバとを互いに異なる断面形状に形成するとともに、
上側ルーバによって構成される放出経路及び下側ルーバによって構成される放出経路を放出方向における上流端から下流端まで略一定の上下幅にし、上側ルーバと下側ルーバとの間の放出経路を中間部において上下幅を狭め、上側ルーバによって構成される放出経路の上下幅を下側ルーバによって構成される放出経路の上下幅に比較して広くしたことを特徴とする暖房装置
【発明の詳細な説明】
【０００１】
【発明の属する技術分野】
この発明は、吹出口から温風を吹き出す石油ファンヒータ等の暖房装置に関し、特に、吹出口の改良に関する。
【０００２】
【従来の技術】
従来の暖房装置の構成を図４及び図５を用いて説明する。図４（Ａ）及び（Ｂ）は、従来の暖房装置である石油ファンヒータ５１の正面断面図及び側面断面図である。また、図５は、石油ファンヒータ５１の吹出口の詳細な構成を示す側面断面図である。石油ファンヒータ５１は、本体内部に燃料タンク５２、燃料圧送用電磁ポンプ５４、送油パイプ５５、気化器５６、燃焼室５７及びバーナ５８を備えている。燃料タンク５２内に収納された灯油５３は、燃料圧送用電磁ポンプ５４により送油パイプ５５を経由して気化器ヒータで加熱された気化器５５に圧送され、燃焼室５７内に配置されたバーナ５８において燃焼される。
【０００３】
バーナ５８における灯油５３の燃焼によって発生した高温の燃焼ガスは、燃焼室５７の背面側に設けられた送風用モータ５９に直結された送風ファン６０によって吸込口から吸い込まれた室内空気と混合され、温風として前面側に形成された吹出口６１から室内に放出される。送風用モータ５９は、バーナ５８における燃焼が開始した後、炎検出センサが予め設定された炎電流値以上の燃焼炎を検出した時に通電され、バーナ５８の着火後約１．５分後に送風ファン６０を回転させる。
【０００４】
吹出口６１には、複数のルーバ６１ａが設けられている。ルーバ６１ａは、図５に示すように、前面側が下方に湾曲した平板によって構成されており、複数のルーバ６１ａが吹出口６１の上下方向に等間隔に配置されている。複数のルーバ６１ａは、本体５１に取り付けられて吹出口６１を形成し、吹出口６１から吹き出す温風の方向性を整えるとともに、外部からの異物の侵入を防止している。また、吹出口６１の下縁部は、燃焼室５７を支持する仕切板６２によって構成されている。吹出口６１から吹き出された温風が室内の上部に上昇し、室内の下部の空気を暖めることができなくなることを防止するため、吹出口６１は前面の比較的下方に形成され、複数のルーバ６１ａは水平方向又は下方向に傾斜した状態で吹出口６１に固定されている。
【０００５】
【発明が解決しようとする課題】
しかしながら、従来の石油ファンヒータ等の同一形状を呈する複数のルーバを吹出口に固定した暖房装置では、吹出口からの温風の吹出方向を変化させることができなかった。このため、複数のルーバの固定方向に応じて吹出口から水平方向又は下方向に温風が吹き出され、図６に示すように、室内の床面において暖房装置に比較的近い位置のみが高温になり、室内の上部と下部との温度差が大きくなる問題がある。
【０００６】
また、従来の暖房装置では、吹出口から吹き出した温風の到達距離を長くすることについて十分に考慮したものがなく、特に、コスト及びスペース上の問題から可動型のルーバを備えることができない石油ファンヒータ等の比較的廉価な暖房装置では、室内の上部と下部との温度差を小さくすることができず、室内全体の広い範囲を快適な温度状態にすることができない。
【０００７】
この発明の目的は、吹出口に複数配置される各ルーバの形状及び配置位置を考慮することにより、ルーバを動作させることなく温風の到達距離を長くすることができ、室内の上部と下部との温度差を小さくすることができ、室内全体の広い範囲を快適な温度状態にすることができる暖房装置を提供することにある。
【０００８】
【課題を解決するための手投】
この発明は、上記の課題を解決するための手段として、以下の構成を備えている。
【０００９】
(1) 本体前面に開口して温風を放出する吹出口に上下方向に複数のルーバを配置し、吹出口の下部に配置された下側ルーバは温風の放出方向における上流側を下に凸である湾曲部とするとともに下流側を略水平方向の平面部とし、吹出口の上部に配置された上側ルーバは温風の放出方向における上流側の湾曲部及び下流側の平板部を含むとともに下に凸である湾曲部を前記下側ルーバの湾曲部よりも曲率を大きくし平板部を温風の放出方向の下流側を上にして傾斜させることにより、前記上側ルーバと前記下側ルーバとを互いに異なる断面形状に形成したことを特徴とする。
【００１０】
この構成においては、前方に温風を放出する吹出口に断面形状が互いに異なる上側ルーバ及び下側ルーバが上下方向に配置され、吹出口からは上側ルーバ及び下側ルーバの断面形状に応じた放出方向に温風が放出される。したがって、上側ルーバが配置された吹出口の上部、及び、下側ルーバが配置された吹出口の下部から、互いに異なる放出方向に温風が放出される。
【００１１】
(2) (1) の構成において、上側ルーバ及び下側ルーバのそれぞれを上下方向に配置した複数のルーバによって構成し、上側ルーバにおけるルーバの間隔を下側ルーバにおけるルーバの間隔よりも広くしたものとすることができる。
【００１２】
この構成においては、吹出口の上部にルーバの間隔を広くした上側ルーバが配置され、吹出口の下部にルーバの間隔を狭くした下側ルーバが配置される。したがって、吹出口の上部から下部よりも多量の温風を下部から放出される温風と異なる方向に放出することができる。
【００１３】
(3) (1) 又は(2) の構成において、下側ルーバが温風を前方の下方近傍に放出する断面形状を呈し、上側ルーバが温風を前方の斜め上方であって、下側ルーバから放出される温風の到達位置よりも遠方まで放出する断面形状を呈するものとすることができる。
【００１４】
この構成においては、上側ルーバによって温風を斜め上方の比較的遠方に放出するとともに、下側ルーバによって温風を斜め下方の比較的近い部分に放出することができ、温風を広い範囲に放出することができる。
【００２１】
(4) 前記上側ルーバと下側ルーバとの間の空間は、温風の放出方向について下流側の上下方向の幅を上流側の上下方向の幅よりも狭くしたことを特徴とする。
この構成においては、吹出口における上側ルーバの配置位置と下側ルーバの配置位置との間に絞り部を有する温風の放出経路が構成される。したがって、吹出口において上側ルーバと下側ルーバとの間の温風の放出速度が速くされ、吹出口の中間部から放出される温風が到達する距離が長くされる。
【００２２】
(5) 前記上側ルーバの前端は、下側ルーバの前端よりも本体の前方に位置することを特徴とする。
【００２３】
この構成においては、上側ルーバの放出口からの突出量が下側ルーバよりも大きくされ、吹出口からはルーバの前方への突出量に応じた位置まで規定された放出方向に温風が放出される。したがって、吹出口の上部から放出される温風は、下部から放出される温風より遠い位置まで放出方向を規定される。
(6) 本体前面に開口して温風を放出する吹出口に上下方向に複数のルーバからなる上側ルーバ、及び、複数のルーバからなる下側ルーバを配置し、吹出口の下部に配置された下側ルーバは温風の放出方向における上流側を下に凸である湾曲部とするとともに下流側を略水平方向の平面部とし、吹出口の上部に配置された上側ルーバは温風の放出方向における上流側の湾曲部及び下流側の平板部を含むとともに下に凸である湾曲部を前記下側ルーバの湾曲部よりも曲率を大きくし平板部を温風の放出方向の下流側を上にして傾斜させることにより、前記上側ルーバと前記下側ルーバとを互いに異なる断面形状に形成するとともに、
上側ルーバによって構成される放出経路及び下側ルーバによって構成される放出経路を放出方向における上流端から下流端まで略一定の上下幅にし、上側ルーバと下側ルーバとの間の放出経路を中間部において上下幅を狭め、上側ルーバによって構成される放出経路の上下幅を下側ルーバによって構成される放出経路の上下幅に比較して広くしたことを特徴とする。
【００２４】
【発明の実施の形態】
図１（Ａ）及び（Ｂ）は、この発明の実施形態に係る暖房装置である石油ファンヒータの外観を示す正面図及び側面図である。この発明の実施形態に係る石油ファンヒータ１は、本体前面を前板２によって構成されている。この前板２において、前面の中央部近傍に吹出口３が開口しており、上部に操作部４が配置されている。吹出口３には、上下方向に複数のルーバ１０が配置されている。操作部４は、石油ファンヒータ１の運転操作を受け付けるスイッチや運転状態を表示するディスプレイ等が配置されている。また、石油ファンヒータ１の上面、側面及び底面は、上板６、側板７及び置板５によって構成されている。なお、吹出口３の一部には、本体内部に配置された給油タンクにおける灯油の収納量を表示する湯量窓１９が設けられている。
【００２５】
この実施形態に係る石油ファンヒータ１の内部構造及び動作は、図４に示した従来の石油ファンヒータ５１と同様であり、説明を省略する。
【００２６】
図２は、上記石油ファンヒータの吹出口におけるルーバの断面形状及び配置状態を示す要部の側面断面図である。石油ファンヒータ１の前板２に形成された吹出口３には、上下方向に５枚のルーバ１１〜１５が配置されている。吹出口３の上部に配置された２枚のルーバ１１及び１２はこの発明の上側ルーバ１０ａであり、吹出口３の下部に配置された３枚のルーバ１３〜１５はこの発明の下側ルーバ１０ｂである。ルーバ１１〜１５は、ルーバ枠１６を介して、前板２に形成された吹出口３の周縁部に取り付けられている。なお、吹出口３の下縁部は、石油ファンヒータ１の内部に配置されている仕切板１７の上面に略一致している。
【００２７】
下側ルーバ１０ｂを構成するルーバ１３〜１５は、互いに略同一の断面形状を呈している。これに対して、上側ルーバ１０ａを構成するルーバ１１及び１２は、互いに異なる形状であって、ルーバ１３〜１５とも異なる断面形状を呈している。
【００２８】
即ち、下側ルーバ１０ｂを構成するルーバ１３〜１５は、一例としてルーバ１３において、矢印Ａ方向の温風の放出方向における上流側を下に凸である湾曲部１３ａとし、下流側を略水平方向の平面部１３ｂとし、さらに下流側の端部である前端部１３ｃは円弧状に折り曲げられている。
【００２９】
一方、上側ルーバ１０ａを構成するルーバ１１及び１２は、湾曲部１１ａ，１２ａ、中間部１１ｂ，１２ｂ、平板部１１ｃ，１２ｃ、及び、前端部１１ｄ，１２ｄによって構成されている。湾曲部１１ａ，１２ａは、ルーバ１３の湾曲部１３ａよりも大きい曲率にされている。中間部１１ｂ，１２ｂは、湾曲部１１ａ，１２ａと平板部１１ｃ，１２ｃとを繋ぐ部分円弧によって構成されている。平板部１１ｃ，１２ｃは、この発明の傾斜面に相当し、水平方向に対して４〜６度の傾斜角により、矢印Ａ方向の温風の放出方向の下流側を上にして傾斜している。前端部１１ｄ，１２ｄは、円弧状に折り曲げられている。平板部１１ｃ，１２ｃの下流側において前端部１１ｄ，１２ｄに連続する部分は、上方に湾曲している。
【００３０】
また、上側ルーバ１０ａにおいて、上方のルーバ１１の平板部１１ｃは、下方のルーバ１２の平板部１２ｃよりも長くされている。したがって、上方のルーバ１１の前端部１１ｄは、下方のルーバ１２の前端部１２ｄよりも前方に突出している。さらに、ルーバ１２の前端部１２ｄは、下側ルーバ１０ｃの前端部よりも前方に突出している。
【００３１】
これらルーバ１１〜１５が吹出口３に配置されていることから、吹出口３を通過した温風の放出方向は、ルーバ１１〜１５のそれぞれの間に形成される放出経路を通過する間に、ルーバ１１〜１５の形状に沿って分流される。上側ルーバ１０ａにおいて、吹出口３の最上部に配置されたルーバ１１の上方には吹出口３は開口しておらず、ルーバ１１とルーバ１２との間の放出経路２１は上流端から下流端まで略一定の上下幅にされている。下側ルーバ１０ｂにおいて、吹出口３の最下部に配置されたルーバ１５の下方には吹出口３は開口しておらず、ルーバ１３とルーバ１４との間の放出経路２３、及び、ルーバ１４とルーバ１５との間の放出経路２４も上流端から下流端まで略一定の上下幅にされている。これに対して、上側ルーバ１０ａのルーバ１２と下側ルーバ１０ｂのルーバ１３との間の放出経路２２は中間部において上下幅が狭められている。なお、放出経路２１の上下幅は、放出経路２２〜２４の上下幅に比較して広くされている。
【００３２】
以上の構成により、本体内部において加熱された温風は、吹出口３に配置されたルーバ１１〜１５の間に構成される放出経路２１〜２４を通過して室内に放出される。したがって、吹出口３の上部に送風された温風は、放出経路２１を通過する間に、ルーバ１１の下面及びルーバ１２の上面に沿って本体の前面に放出される。この時、温風の放出方向は、ルーバ１１の平板部１１ｃ及びルーバ１２の平板部１２ｃにおいて上向きにされた後、ルーバ１２の前端部１２ｄによってさらに上向きにされる。しかし、ルーバ１２の上方に位置するルーバ１１の前端部１１ｄがルーバ１２の前端部１２ｄよりも前方に位置しているため、前端部１２ａによって上向きにされた放出方向は、前端部１１ｄによって押さえられる。これによって、放出経路２１を通過した温風は、ルーバ１１の断面形状によって規定される放出方向の遠い位置まで到達する。
【００３３】
また、吹出口３の中間部に送風された温風は、放出経路２２を通過する間に、ルーバ１２の下面及びルーバ１３の上面に沿って本体の前面に放出される。前述のように、放出経路２２は、中間部において上下幅が絞られており、放出方向の下流側の上下幅は上流側の上下幅よりも狭くされている。したがって、吹出口３の中間部に送風された温風は、放出経路２２を通過する間に流速を速められ、ルーバ１２の水平部１２ｃ及び前端部１２ｄの下面によって規定される斜め上方と、ルーバ１３の水平部１３ｂの上面によって規定される水平方向と、の間の遠い位置まで到達する。
【００３４】
さらに、吹出口３の下部に送風された温風は、放出経路２３及び２４を通過する間に、ルーバ１３の下面、ルーバ１４の上下面及びルーバ１５の上面に沿って本体の前面に放出される。この時、放出経路２３において、ルーバ１３の下面に沿って放出された温風は前端部１３ｃの折曲部分によって放出方向を斜め下向きにされ、ルーバ１４の上面に沿って放出された温風は平面部１４ｂによって略水平に放出される。また、放出経路２４において、ルーバ１４の下面に沿って放出された温風は前端部１４ｃの折曲部分において放出方向を斜め下向きにされ、ルーバ１５の上面に沿って放出された温風は平面部１５ｂによって略水平に放出される。さらに、放出経路２４は中間部において放出方向の下流側の上下幅が上流側の上下幅よりも広くされており、放出経路２４を通過する温風の流速は遅くなる。これらのことから、吹出口３の下部に送風された温風は、放出経路２３及び２４から水平方向に対して僅かに下向きに放出される。また、より下方に位置する放出経路２４では温風の流速が遅くされるため、放出経路２４を通過した温風の到達距離は短くなる。
【００３５】
また、吹出口３の上下方向の範囲において、搬送経路２１と搬送経路２２とが占める範囲は、搬送経路２３と搬送経路２４とが占める範囲よりも広くされている。したがって、搬送経路２３及び２４を搬送経路２１及び２２よりも多量の温風が通過する。
【００３６】
このように、吹出口３の上下方向に、ルーバ１１〜１５を互いに異なる断面形状及び配置状態で配置することにより、吹出口３においてルーバ１１〜１５を可動させることなく、ルーバ１１〜１５の間に構成される放出経路２１〜２４において互いに異なる放出状態で温風を放出することができる。
【００３７】
図３は、上記石油ファンヒータを使用した場合の室内の温度分布を示す図である。上記のように、吹出口３に送風された温風が、搬送経路２１〜２４を通過することにより、室内の広い範囲にわたって室温を上昇させることができる。図３を従来の石油ファンヒータを使用した場合の室内の温度分布を示した図６と比較すると、特に、石油ファンヒータ１の前方斜め上方のより遠い位置の室温が上昇しており、その一方、石油ファンヒータ１の前方の床面に近い高さ範囲において室温が高温になる位置が短くなっている。このことから、この実施形態に係る石油ファンヒータ１では、従来に比較して、室内のより広い範囲において、より均一に室温を上昇させることができ、使用者のニーズに一致したより快適な温度環境を作ることができる。
【００３８】
なお、上記の実施形態に係る石油ファンヒータ１では吹出口３に５枚のルーバ１１〜１５を配置したが、吹出口３に配置するルーバ数は５枚に限るものではない。また、上記の実施形態では、下側ルーバ１０ｂを構成する３枚のルーバ１３〜１５を略同一の断面形状としたが、下側ルーバ１０ｂを構成する複数枚のルーバを互いに異なる断面形状とすることもできる。
【００３９】
【発明の効果】
この発明は、以下の効果を奏する。
【００４０】
(1) 前方に温風を放出する吹出口に断面形状が互いに異なる上側ルーバ及び下側ルーバを上下方向に配置し、吹出口から上側ルーバ及び下側ルーバの断面形状に応じた放出方向に温風を放出することにより、上側ルーバを配置した吹出口の上部、及び、下側ルーバを配置した吹出口の下部から、互いに異なる放出状態で温風を放出することができる。これによって、吹出口に複数配置される各ルーバの形状及び配置位置を考慮することにより、ルーバを動作させることなく温風の到達距離を長くすることができ、室内の上部と下部との温度差を小さくすることができ、室内全体の広い範囲を快適な温度状態にすることができる。
【００４４】
(2) 吹出口における上側ルーバの配置位置と下側ルーバの配置位置との間に絞り部を有する温風の放出経路を構成することにより、吹出口において上側ルーバと下側ルーバとの間の温風の放出速度を速くし、吹出口の中間部から放出される温風が到達する距離を長くすることができ、より遠い位置の室温を上昇させることができる。
【００４５】
(3) 上側ルーバの放出口からの突出量を下側ルーバよりも大きくし、吹出口からルーバの前方への突出量に応じた位置まで規定された放出方向に温風を放出することにより、吹出口の上部から放出される温風の放出方向を、下部から放出される温風の放出方向より遠い位置まで規定することができる。
【図面の簡単な説明】
【図１】この発明の実施形態に係る暖房装置である石油ファンヒータの外観を示す正面図及び側面図である。
【図２】上記石油ファンヒータの吹出口におけるルーバの断面形状及び配置状態を示す要部の側面断面図である。
【図３】上記石油ファンヒータを使用した場合の室内の温度分布を示す図である。
【図４】この発明の実施形態を含む一般的な石油ファンヒータの内部構造を示す正面断面図及び側面断面図である。
【図５】従来の石油ファンヒータの吹出口におけるルーバの断面形状及び配置状態を示す要部の側面断面図である。
【図６】従来の石油ファンヒータを使用した場合の室内の温度分布を示す図である。
【符号の説明】
１−石油ファンヒータ（暖房装置）
２−前板
３−吹出口
１０ａ−上側ルーバ
１０ｂ一下側ルーバ
１１〜１５−ルーバ
１１ｃ，１２ｃ−平面部（傾斜面）
２１〜２４一放出経路
【図１】
0003723013.tif 000002
【図２】
0003723013.tif 000003
【図３】
0003723013.tif 000004
【図４】
0003723013.tif 000005
【図５】
0003723013.tif 000006
【図６】
0003723013.tif 000007